(57)【要約】  本発明の目的は、開口部の状態を容易に視認できる収容容器を提供することである。  収容容器１は、物質を取り出し可能な開口部１３０を有する内側容器１０と、内側容器１０の一の面１２を覆う第１カバー部２１、及び開口部１３０を覆う第２カバー部２２を有し、内側容器１０に対してスライド可能に取り付けられる外側容器２０と、第１カバー部２１に行列状に設けられる複数の貫通孔３０と、一の面１２に設けられ、外側容器２０が内側容器１０に重なり合った第１状態において複数の貫通孔３０を通して第１態様Ｓ１で視認可能な位置に付される第１表示４０と、一の面１２に設けられ、第１状態から外側容器２０を第１長さＬ３スライドさせた第２状態において複数の貫通孔３０を通して第２態様Ｓ２で視認可能な位置に付される第２表示５０と、を備える。
2012108454.tif 000002
【特許請求の範囲】
【請求項１】
物質を収容可能な箱型に構成されると共に、該物質を取り出し可能な開口部を有する内側容器と、
前記内側容器の一の面を覆う第１カバー部、及び前記開口部を覆う第２カバー部を有し、該内側容器に対してスライド可能に取り付けられる外側容器と、
前記第１カバー部に互いに所定の間隔をあけて行列状に設けられる複数の透明部と、
前記内側容器の前記一の面に設けられ、前記外側容器が前記内側容器に重なり合った第１状態において複数の前記透明部を通して第１態様で視認可能な位置に付される第１表示と、
前記内側容器の前記一の面に設けられ、前記第１状態から前記外側容器を第１長さスライドさせた第２状態において複数の前記透明部を通して第２態様で視認可能な位置に付される第２表示と、を備える収容容器。
【請求項２】
前記物質として粒状物を収容する請求項１に記載の収容容器。
【請求項３】
複数の前記透明部は、平面視において正方形状に形成されると共に、複数の該透明部は、一の対角線が前記外側容器のスライド方向に沿うように配置される請求項１又は２に記載の収容容器。
【請求項４】
隣り合う２つの前記透明部の間の長さは、複数の前記透明部における一対の頂点間の長さ以上である請求項１〜３のいずれかに記載の収容容器。
【請求項５】
前記開口部は、前記内側容器における前記第２カバー部に覆われる面の一端側に配置され、
前記第１長さは、前記物質の大きさの１．０倍〜１．５倍である請求項１〜４のいずれかに記載の収容容器。
【請求項６】
物質を収容可能な箱型に構成されると共に、一の面に物質を取り出し可能な開口部が形成された内側容器と、
前記内側容器の一の面を覆う第１カバー部を有し、該内側容器に対してスライド可能に取り付けられる外側容器と、
前記第１カバー部に互いに所定の間隔をあけて行列状に設けられる複数の透明部と、
前記内側容器の前記一の面に設けられ、前記外側容器が前記内側容器に重なり合った第１状態において複数の前記透明部を通して第１態様で視認可能な位置に付される第１表示と、
前記内側容器の前記一の面に設けられ、前記第１状態から前記外側容器を第１長さスライドさせた第２状態において複数の前記透明部を通して第２態様で視認可能な位置に付される第２表示と、を備える収容容器。
【請求項７】
前記第１表示は複数の第１図柄を含んで構成され、前記第２表示は、複数の第２図柄を含んで構成され、
前記複数の第１図柄と、該複数の第１図柄それぞれに隣り合って配置される前記第２図柄との間の少なくとも一部には、表示が付されていない領域が設けられる請求項１〜６のいずれかに記載の収容容器。
【発明の詳細な説明】
【技術分野】
【０００１】
本発明は、粒状の菓子や医薬品のような菓子や医薬品を収容する収容容器に関する。
【背景技術】
【０００２】
従来、粒状の菓子や医薬品を収容する粒状物収容容器として、粒状物を収容すると共にこの粒状物を取り出し可能な開口部を有する内側容器と、この内側容器にスライド可能に取り付けられて開口部を覆う外側容器と、を備える粒状物収容容器が提案されている（例えば、特許文献１及び２参照）。【０００３】
このような粒状物収容容器によれば、外側容器を内側容器に対してスライドさせることで、外側容器により開口部が覆われた閉状態と、外側容器により開口部が覆われない開状態とを容易に変更できる。これにより、内側容器に収容された粒状物を容易に取り出すことができる。
【先行技術文献】
【特許文献】
【０００４】
【特許文献１】特開２００８−１３３０００号公報
【特許文献２】特開２００９−８３８９６号公報
【発明の概要】
【発明が解決しようとする課題】
【０００５】
特許文献１及び２で提案された粒状物収容容器では、粒状物を取り出したい場合に外側容器をスライドさせて開口部を開口させる。しかしながら、特許文献１及び２で提案された粒状物収容容器では、開口部が閉状態であるか開状態であるかは、内側容器と外側容器の重なり具合を注意深く観察する必要があった。そのため、開口部が開状態となっていることに気付かずに粒状物収容容器を持ち運ぶ等して、収容されている粒状物を散乱させてしまう場合があった。【０００６】
従って、本発明は、開口部の状態を容易に視認できる収容容器を提供することを目的とする。
【課題を解決するための手段】
【０００７】
本発明は、物質を収容可能な箱型に構成されると共に、該物質を取り出し可能な開口部を有する内側容器と、前記内側容器の一の面を覆う第１カバー部、及び前記開口部を覆う第２カバー部を有し、該内側容器に対してスライド可能に取り付けられる外側容器と、前記第１カバー部に互いに所定の間隔をあけて行列状に設けられる複数の透明部と、前記内側容器の前記一の面に設けられ、前記外側容器が前記内側容器に重なり合った第１状態において複数の前記透明部を通して第１態様で視認可能な位置に付される第１表示と、前記内側容器の前記一の面に設けられ、前記第１状態から前記外側容器を第１長さスライドさせた第２状態において複数の前記透明部を通して第２態様で視認可能な位置に付される第２表示と、を備える収容容器に関する。【０００８】
また、本発明は、物質を収容可能な箱型に構成されると共に、一の面に物質を取り出し可能な開口部が形成された内側容器と、前記内側容器の一の面を覆う第１カバー部を有し、該内側容器に対してスライド可能に取り付けられる外側容器と、前記第１カバー部に互いに所定の間隔をあけて行列状に設けられる複数の透明部と、前記内側容器の前記一の面に設けられ、前記外側容器が前記内側容器に重なり合った第１状態において複数の前記透明部を通して第１態様で視認可能な位置に付される第１表示と、前記内側容器の前記一の面に設けられ、前記第１状態から前記外側容器を第１長さスライドさせた第２状態において複数の前記透明部を通して第２態様で視認可能な位置に付される第２表示と、を備える収容容器に関する。
【発明の効果】
【０００９】
本発明の収容容器によれば、開口部の状態を容易に視認できる。
【図面の簡単な説明】
【００１０】
【図１】本発明の第１実施形態に係る収容容器を上面側から視た斜視図である。
【図２】第１実施形態の収容容器を底面側から視た斜視図である。
【図３】第１実施形態の収容容器の分解斜視図である。
【図４】第１実施形態の内側容器を示す平面図である。
【図５】図４に示す内側容器を矢印Ａ方向に視た側面図である。
【図６】第１実施形態の外側容器を示す平面図である。
【図７】第１実施形態の収容容器の第１状態を示す平面図である。
【図８】第１実施形態の収容容器の第２状態を示す平面図である。
【図９】第２実施形態の内側容器を示す平面図である。
【図１０】第２実施形態の収容容器の第２状態を示す平面図である。
【図１１】第３実施形態の収容容器の分解斜視図である。
【発明を実施するための形態】
【００１１】
以下、本発明の収容容器の好ましい各実施形態について、図面を参照しながら説明する。まず、本発明の収容容器１の第１実施形態について図１〜図８を参照しながら説明する。
【００１２】
第１実施形態の収容容器１は、菓子を円形や三角形等の平面形状を有する粒状に成形した粒状物としての菓子タブレット（図示せず）を一般的には複数収容する。この収容容器１に収容される菓子タブレットは、平面視の大きさが２ｍｍ〜１０ｍｍで厚さが１ｍｍ〜１０ｍｍ程度の小型の粒状物であってよい。
尚、収容容器１は、菓子タブレットを収容する場合に限らない。即ち、収容容器１には、チューインガムや飴等の他の多くの菓子を収容してもよい。また、医薬品等の他の物質を収容してもよい。
【００１３】
収容容器１は、図１〜図３に示すように、開口部１３０（図３参照）を有する内側容器１０と、この内側容器１０に対してスライド可能に取り付けられる外側容器２０と、この外側容器２０に設けられる複数の貫通孔３０（透明部）と、内側容器１０に付される第１表示４０及び第２表示５０と、を備える。なお、透明部は貫通孔に限らず、透視可能なものであればよく、例えば周囲よりも透明な部材で構成されてもよい。
【００１４】
内側容器１０は、菓子タブレットを収容可能な中空の箱型に構成される。より具体的には、内側容器１０は、図３〜図５に示すように、矩形形状の底面１１及び上面１２を有すると共に、底面１１及び上面１２の幅方向の長さよりも短い厚さの直方体形状に構成されてよい。
【００１５】
開口部１３０は、図３及び図５に示すように、内側容器１０の長手方向Ｘに沿って配置される側面１３に設けられる。この開口部１３０は、菓子タブレットの大きさよりも大きく形成され、側面１３における長手方向Ｘの一端側に配置される。
【００１６】
外側容器２０は、図１〜図３に示すように、内側容器１０の一の面である上面１２を覆う第１カバー部２１、及び開口部１３０が設けられた側面１３を覆う第２カバー部２２を有し、内側容器１０に対してスライド可能に取り付けられる。
【００１７】
第１実施形態では、外側容器２０は、第１カバー部２１、一対の第２カバー部２２、及び内側容器１０の底面１１を覆う第３カバー部２３を有し、内側容器１０の外形よりも一回り大きい角筒状に構成される。より具体的には、外側容器２０は、外側容器２０の内面が内側容器１０の外面と当接する大きさに構成されるか、又は、外側容器２０の内面が内側容器１０の外面からわずかに離間する程度の大きさに構成される。そして、この外側容器２０は、内側容器１０の長手方向Ｘにスライド可能に取り付けられる。
【００１８】
複数の貫通孔３０は、第１カバー部２１に設けられる。これら複数の貫通孔３０は、図６に示すように、互いに所定の間隔をあけて行列状に設けられてよい。第１実施形態では、複数の貫通孔３０は、行方向が外側容器２０の長手方向Ｘに沿い、列方向が外側容器２０の幅方向に沿うように配置される。
【００１９】
複数の貫通孔３０は、それぞれ、平面視において正方形状に形成されており、この正方形状における一の対角線が外側容器２０の長手方向に沿うように配置される。ただし、透明部の形状は、正方形に限られず、正円、楕円、ひし形、長方形、星形等の任意の形状であってよい。
【００２０】
第１実施形態では、図６に示すように、隣り合う２つの貫通孔３０間の長さＬ１は、貫通孔３０における対向する一対の頂点間の長さ（対角線の長さ）Ｌ２以上となっている。
【００２１】
以上の収容容器１は、内側容器１０と外側容器２０とが重なり合って開口部１３０が塞がれた第１状態としての閉状態（図７参照）と、この閉状態から外側容器２０を長手方向Ｘ（図７におけるＸ１方向）にスライドさせて開口部１３０を開口させた開状態（図８参照）との間で外側容器２０の位置を変更できる。
【００２２】
第１表示４０及び第２表示５０は、図４に示すように、内側容器１０の上面１２に付される。
【００２３】
第１表示４０は、所定の着色が施された複数の円形の第１図柄４１により構成される。これら複数の第１図柄４１は、収容容器１の閉状態において複数の貫通孔３０のうちの所定の複数の貫通孔３０に重なり合う位置に配置される。また、複数の第１図柄４１のそれぞれの面積は、複数の貫通孔（透明部）３０それぞれの開口面積より大きく形成されることが好ましいが、貫通孔（透明部）３０それぞれの開口面積と等しい又はそれより小さくてもよい。
【００２４】
図７に示すように、収容容器１の閉状態において、第１表示４０は、複数の貫通孔３０を通して第１態様Ｓ１で視認される。例えば、第１実施形態では、第１表示４０は、第１態様Ｓ１としての文字列「ＩＣＥ」と視認できる。第１態様Ｓ１は、特に限定されないが、商品としての流通時に視認されるため、商品の識別性や需要喚起に優れるもの、例えば、菓子の商品名や品質、特徴等を表す文字列であることが好ましい。
【００２５】
第２表示５０は、図４に示すように、所定の着色が施された複数の円形の第２図柄５１により構成される。これら複数の第２図柄５１は、収容容器１の閉状態から外側容器２０を第１長さＬ３スライドさせた開状態である第２状態（図８参照）において、複数の貫通孔３０のうちの所定の複数の貫通孔３０に重なり合う位置に配置される。即ち、第２表示５０は、図４に示すように、第１表示４０に対して内側容器１０の長手方向に第１長さＬ３ずれた位置に付される。また、複数の第２図柄５１のそれぞれの面積は、複数の貫通孔（透明部）３０それぞれの開口面積よりも大きく形成されることが好ましい。ただし、第１表示４０と同様、第２図柄５１のそれぞれの面積は、複数の貫通孔（透明部）３０それぞれの開口面積と等しい又はそれより小さくてもよい。
【００２６】
図８に示すように、収容容器１の第２状態において、第２表示５０は、複数の貫通孔３０を通して第１態様Ｓ１とは異なる第２態様Ｓ２で視認される。例えば、第１実施形態では、第２表示５０は、第２態様Ｓ２としての動物を模した図形として視認できる。尚、第２表示５０は、特に限定されないが、第１表示からの変化が大きいことが好ましく、例えば、第１表示４０が文字列である場合には、第２表示５０は文字列以外、例えば図柄であってよく、また、代わりの文字列であってもよい。また、第１実施形態では、収容容器１の第２状態は、開口部１３０が第１長さＬ３開口された開状態となる。
【００２７】
第１長さＬ３は、開口部１３０からの菓子の取り出しを好適に行う観点から、菓子の大きさ（例えば、平面視における最長部）の１．０倍〜１．５倍の長さであることが好ましい。
【００２８】
第１実施形態では、内側容器１０の上面には、第１表示４０及び第２表示５０のみが表示される。つまり、複数の第１図柄４１と、これら複数の第１図柄４１それぞれに隣り合って配置される第２図柄５１との間には、表示が付されていない領域が設けられている。尚、表示が付されていない領域は、第１図柄４１と第２図柄５１との間の全体に限らず、一部であってもよい。本発明において「表示が付されていない」とは、無地であることに限られず、内側容器１０の上面の一部に、第１図柄４１及び第２図柄５１とは無関係（具体的には、貫通孔３０の位置にかかわらない背景として）の図柄（例えば花柄）、模様、色、字等が描かれていていることも含む。ただし、第１態様Ｓ１から第２態様Ｓ２への表示の変化をより鮮明にする観点では、外側容器２０がスライドしても貫通孔３０から視認される図が変化しないよう、無地（白色に限らず、一定の色であればよい）が好ましい。
【００２９】
以上の収容容器１は、以下のようにして使用される。
【００３０】
収容容器１に収容された複数の菓子を取り出さないときには、図１及び図７に示すように、内側容器１０と外側容器２０とを重ね合わせた閉状態としておく。これにより、開口部１３０は、外側容器２０によりふさがれているので、収容された菓子は、内側容器１０からこぼれださない。この状態（閉状態）では、収容容器１の上面には、第１態様Ｓ１としての文字列「ＩＣＥ」が表示される。
【００３１】
収容容器１に収容された複数の菓子を取り出す場合には、収容容器１の閉状態から外側容器２０を長手方向Ｘ（図７に示すＸ１方向）にスライドさせる。ここで、図８に示すように、外側容器２０を第１長さＬ３スライドさせると、収容容器１の上面に第２態様Ｓ２としての動物を模した図形が視認される。これにより、開口部１３０が好適に菓子を取り出すことのできる長さである第１長さＬ３開口されたことを認識できる。そして、この状態で、開口部１３０から菓子を所望の量取り出す。
【００３２】
以上説明した第１実施形態の収容容器１によれば、以下のような効果を奏する。
【００３３】
（１）内側容器１０に、開口部１３０の閉状態において複数の貫通孔３０を通して第１態様で視認可能な第１表示４０を付すと共に、開口部１３０の開状態において複数の貫通孔３０を通して第１態様Ｓ１とは異なる第２態様Ｓ２で視認可能な第２表示５０を付した。これにより、収容容器１を使用する使用者は、第１態様Ｓ１の表示を視認できない場合には、開口部１３０が閉状態になっていないことを容易に認識できる。よって、開口部１３０の状態を容易に視認できるので、開口部１３０が開状態となっていることに気付かずに収容容器１を持ち運ぶ等して、収容されている物質を散乱させてしまうことがない。
【００３４】
（２）複数の貫通孔３０を、平面視において正方形状に形成すると共に、複数の貫通孔３０を、一の対角線が外側容器２０のスライド方向（長手方向Ｘ）に沿うように配置した。よって、行方向及び列方向に隣り合う貫通孔３０を、頂点同士が向かい合うように配置できるので、複数の貫通孔３０を通して視認される第１態様Ｓ１及び第２態様Ｓ２の視認性を向上できる。
【００３５】
（３）隣り合う２つの貫通孔３０の間の長さＬ１を、貫通孔３０における一対の頂点間の長さＬ２以上とした。これにより、第１表示４０と複数の貫通孔３０とが重なり合っている状態において、第２表示５０を隣り合う２つの貫通孔３０の間に位置させられる。また、第２表示５０と複数の貫通孔３０とが重なり合っている状態において、第１表示４０を隣り合う２つの貫通孔３０の間に位置させられる。よって、第１態様Ｓ１と第２態様Ｓ２とが同時に視認されることを防げる。
【００３６】
（４）開口部１３０を長手方向Ｘの一端側に配置すると共に、第１長さＬ３を、菓子の大きさの１．０倍〜１．５倍とした。これにより、第２態様Ｓ２が視認できるまで外側容器２０をスライドさせることで、開口部１３０を、好適に菓子を取り出すことのできる長さである第１長さＬ３だけ開口させられる。よって、収容容器１の上面の表示態様を視ながら外側容器２０をスライドさせることで、容易に適切な開口部１３０の開口状態を認識できる。
【００３７】
（５）複数の第１図柄４１の面積、及び複数の第２図柄５１の面積を、複数の貫通孔３０の開口面積よりも大きく形成した。これにより、内側容器１０に対する外側容器２０の位置が若干（例えば、１ｍｍ程度）ずれた場合であっても、第１態様Ｓ１及び第２態様Ｓ２の視認性を保てる。
【００３８】
（６）複数の第１図柄４１と、これら複数の第１図柄４１それぞれに隣り合って配置される第２図柄５１との間に、表示を付していない領域を設けた。これにより、外側容器２０をスライドさせて収容容器１を閉状態から開状態に変化させる場合に、第１態様Ｓ１及び第２態様Ｓ２のいずれも表示されない状態を介在させられる。よって、第１態様Ｓ１から第２態様Ｓ２への表示の変化を明確に認識できる。
【００３９】
次に、本発明の収容容器１の第２実施形態について、図９及び図１０を参照しながら説明する。図９は、第２実施形態の内側容器１０を示す平面図であり、図１０は、第２実施形態の収容容器１の第２状態を示す平面図である。尚、第２実施形態以降の説明にあたって、同一構成要件については同一符号を付し、その説明を省略もしくは簡略化する。
【００４０】
第２実施形態の収容容器１は、主として、第１長さＬ３Ａにおいて第１実施形態と異なる。より具体的には、第２実施形態では、図９及び図１０に示すように、第１長さＬ３Ａは、開口部１３０の長手方向の長さと略等しく構成されている。そして、第２表示５０Ａは、第１表示４０に対して内側容器１０の長手方向に第１長さＬ３Ａずれた位置に付されている。
【００４１】
第２実施形態によれば、上述の（１）〜（６）の効果を奏する他、以下のような効果を奏する。
【００４２】
（７）第１長さＬ３Ａを、開口部１３０の長手方向の長さと略等しく構成した。よって、第２態様が視認できるまで外側容器２０をスライドさせることで、開口部１３０が全開状態となったことを容易に認識できる。
【００４３】
次に、本発明の収容容器１の第３実施形態について図１１を参照しながら説明する。図１１は、第３実施形態の収容容器１を示す分解斜視図である。
第３実施形態の収容容器１は、開口部１３１が上面１２に設けられている点で、第１実施形態と異なる。より具体的には、第３実施形態では、開口部１３１は、長手方向Ｘの一端側における側面１３との境界近傍に配置される。尚、開口部１３１は、上面１２のいずれの場所に配置されていてもよい。そして、この第３実施形態では、開口部１３１は、第１カバー部２１に覆われている。
第３実施形態の収容容器１によれば、上述の（１）〜（５）の効果を奏する。
【００４４】
以上、本発明の収容容器１の好ましい各実施形態について説明したが、本発明は上述した実施形態に制限されることなく、種々の形態で実施することができる。
【００４５】
例えば、第１実施形態〜第３実施形態では、内側容器１０に、菓子を収容したが、これに限らない。例えば、内側容器に、粒状に成形した医薬品のような医薬品を収容してもよい。
【００４６】
また、第１実施形態〜第３実施形態では、外側容器２０を、第１カバー部２１、一対の第２カバー部２２及び第３カバー部２３を含んで角筒状に構成したが、これに限らない。即ち、外側容器を、第１カバー部及び一対の第２カバー部により構成し、内側容器の上面及び一対の側面のみを覆うように構成してもよい。
【００４７】
また、第１実施形態〜第３実施形態では、第１表示及び第２表示のみを設けたが、他の表示を更に設け、第１状態と第２状態との間、又は第１長さよりも長い距離スライドしたときに視認できるようにしてもよい。これにより、収容容器の表示の変化をより楽しむことができる。
【００４８】
また、第１実施形態〜第３実施形態では、第１表示は第２状態において全く視認されないが、一部又は全部が第２状態において視認されるようにしてもよい。同様に、第２表示の一部又は全部が第１状態において視認されてもよい。
【００４９】
また、第１実施形態〜第３実施形態では、第１図柄４１及び第２図柄５１の面積を、貫通孔３０の開口面積よりも大きい円形に形成したが、これに限らない。即ち、第１図柄及び第２図柄を、貫通孔と同形同大に形成してもよい。
【００５０】
また、第１実施形態〜第３実施形態では、貫通孔３０を正方形状に形成したが、これに限らない。即ち、貫通孔を円形、楕円形、及び星形等の他の形状に形成してもよい。
【符号の説明】
【００５１】
１  収容容器
１０  内側容器
１２  上面（一の面）
２０  外側容器
２１  第１カバー部
２２  第２カバー部
３０  貫通孔（透明部）
４０  第１表示
５０  第２表示
１３０，１３１  開口部
Ｌ３  第１長さ
Ｓ１  第１態様
Ｓ２  第２態様
【図１】
2012108454.tif 000003
【図２】
2012108454.tif 000004
【図３】
2012108454.tif 000005
【図４】
2012108454.tif 000006
【図５】
2012108454.tif 000007
【図６】
2012108454.tif 000008
【図７】
2012108454.tif 000009
【図８】
2012108454.tif 000010
【図９】
2012108454.tif 000011
【図１０】
2012108454.tif 000012
【図１１】
2012108454.tif 000013
【国際調査報告】
2012108454.tif 000014
2012108454.tif 000015
2012108454.tif 000016
2012108454.tif 000017